(57)【要約】      （修正有）【課題】アンテナのインピーダンスが変動した場合においても、正常にフィードバックをかけることができる無線モジュールを提供する。【解決手段】送信信号を発生させる送信信号処理部１１と、送信信号処理部１１からの送信信号を増幅する増幅器２０と、増幅器２０により増幅された送信信号を分配する分配器３０と、分配器３０により分配された送信信号を入力し、分配器３０とアンテナ８０、または分配器３０と終端抵抗６０のいずれか一方を接続する第１のスイッチ５０と、分配器３０により分配された送信信号の他方を入力する検波回路４０と、を有し、アンテナ８０より送信信号を送信する場合には、第１のスイッチ５０により分配器３０とアンテナ８０とが接続され、フィードバックをかける場合には、第１のスイッチ５０により分配器３０と終端抵抗６０とが接続される。【選択図】図２
2015231113.tif 000002
【特許請求の範囲】
【請求項１】
送信信号を発生させる送信信号処理部と、
前記送信信号処理部において発生した送信信号を増幅する増幅器と、
前記増幅器により増幅された送信信号を分配する分配器と、
前記分配器により分配された送信信号の一方が入力し、前記分配器とアンテナ、または、前記分配器と終端抵抗のうちのいずれか一方を接続する第１のスイッチと、
前記分配器により分配された送信信号の他方が入力する検波回路と、
を有し、
前記検波回路を介して得られた送信信号のパワーをフィードバックして、前記増幅器における増幅率を変化させて前記増幅器より出力される送信信号のパワーを制御するものであって、
前記アンテナより送信信号を送信する場合には、前記第１のスイッチにより前記分配器と前記アンテナとが接続され、
前記フィードバックをかける場合には、前記第１のスイッチにより前記分配器と前記終端抵抗とが接続されることを特徴とする無線モジュール。
【請求項２】
アンテナと、
送信信号を発生させる送信信号処理部と、
前記送信信号処理部において発生した送信信号を増幅する増幅器と、
送信信号を分配する分配器と、
前記増幅器、前記アンテナ及び前記分配器に接続し、前記増幅器により増幅された送信信号が入力し、前記増幅器を前記アンテナと前記分配器とのうちのいずれか一方に接続する第１のスイッチと、
前記分配器により分配された送信信号の一方が入力する終端抵抗と、
前記分配器により分配された送信信号の他方が入力する検波回路と、
を有し、
前記検波回路を介して得られた送信信号のパワーをフィードバックして、前記増幅器の増幅率を変化させて前記増幅器より出力される送信信号のパワーを制御するものであって、
前記アンテナより送信信号を送信する場合には、前記第１のスイッチにより前記増幅器と前記アンテナとが接続され、
前記フィードバックをかける場合には、前記第１のスイッチにより前記増幅器と前記分配器とが接続されることを特徴とする無線モジュール。
【請求項３】
前記アンテナより受信した信号を処理する受信信号処理部をさらに有し、
前記第１のスイッチは双極双投スイッチであって、前記分配器と前記アンテナとを接続するとともに前記受信信号処理部と前記終端抵抗とを接続する場合と、前記受信信号処理部と前記アンテナとを接続するとともに前記分配器と前記終端抵抗とを接続する場合とに切り替えることを特徴とする請求項１に記載の無線モジュール。
【請求項４】
前記アンテナより受信した信号を処理する受信信号処理部をさらに有し、
前記アンテナと前記第１のスイッチの間に、前記アンテナの接続先を切り替える第２のスイッチが設けられており、
前記第２のスイッチは、前記アンテナの接続先を、前記第１のスイッチと、前記受信信号処理部ととに切り替えることを特徴とする請求項１または２に記載の無線モジュール。
【請求項５】
前記第１のスイッチにおける接続を制御する制御部が設けられていることを特徴とする請求項１から４のいずれかに記載の無線モジュール。
【請求項６】
前記フィードバックは、前記アンテナより送信信号を送信している間に、周期的に行われることを特徴とする、請求項１から５のいずれかに記載の無線モジュール。
【発明の詳細な説明】
【技術分野】
【０００１】
本発明は、無線モジュールに関する。
【背景技術】
【０００２】
無線装置は、アンテナとアンテナに接続された無線モジュールにより形成されており、信号を送信する機能を有する無線モジュールからの送信信号の出力を安定化させる方法として、アンテナに入力される前の送信信号を検出し、フィードバックをかける方法がある。この方法は、一般的には、アンテナから信号を送信しながら行われている。
【先行技術文献】
【特許文献】
【０００３】
【特許文献１】特開平４−３４８６１８号公報
【特許文献２】特開２００８−２１１８２７号公報
【特許文献３】実公平５−２２９９３号公報
【発明の概要】
【発明が解決しようとする課題】
【０００４】
しかしながら、このようにフィードバックをかける方法では、アンテナに導体や人体等が近づいた場合に、アンテナのインピーダンスが変動し、フィードバックが正常に働かず、所望とする出力の値とは異なる値で信号が出力される場合がある。また、送信信号が、所望の出力よりも低い場合には、信号がうまく送信されず、一方、所望の出力よりも高い場合には、無線モジュールを形成している素子に、過入力となり高出力の信号が入力され、破壊等を招く場合がある。
【０００５】
よって、アンテナのインピーダンスが変動した場合においても、正常にフィードバックをかけることができ、送信される信号を所望の出力にすることのできる無線モジュールが求められている。
【課題を解決するための手段】
【０００６】
本実施の形態の一観点によれば、送信信号を発生させる送信信号処理部と、前記送信信号処理部において発生した送信信号を増幅する増幅器と、前記増幅器により増幅された送信信号を分配する分配器と、前記分配器により分配された送信信号の一方が入力し、前記分配器とアンテナ、または、前記分配器と終端抵抗のうちのいずれか一方を接続する第１のスイッチと、前記分配器により分配された送信信号の他方が入力する検波回路と、を有し、前記検波回路を介して得られた送信信号のパワーをフィードバックして、前記増幅器における増幅率を変化させて前記増幅器より出力される送信信号のパワーを制御するものであって、前記アンテナより送信信号を送信する場合には、前記第１のスイッチにより前記分配器と前記アンテナとが接続され、前記フィードバックをかける場合には、前記第１のスイッチにより前記分配器と前記終端抵抗とが接続されることを特徴とする。
【発明の効果】
【０００７】
開示の無線モジュールによれば、アンテナのインピーダンスが変動した場合においても、正常にフィードバックをかけることができ、送信される信号を所望の出力にすることができる。
【図面の簡単な説明】
【０００８】
【図１】無線モジュールの構成図
【図２】第１の実施の形態における無線モジュールの説明図（１）
【図３】第１の実施の形態における無線モジュールの説明図（２）
【図４】第２の実施の形態における無線モジュールの説明図（１）
【図５】第２の実施の形態における無線モジュールの説明図（２）
【図６】第３の実施の形態における無線モジュールの説明図（１）
【図７】第３の実施の形態における無線モジュールの説明図（２）
【発明を実施するための形態】
【０００９】
本発明を実施するための形態について、以下に説明する。尚、同じ部材等については、同一の符号を付して説明を省略する。
【００１０】
（無線モジュール）
最初に、図１に基づき無線モジュールについて説明する。図１の無線モジュールは、送受信部９１０、増幅回路９２０、分配器９３０、検波回路９４０、送受信切替スイッチ９５０等を有している。送受信部９１０は、送信信号処理部９１１、送信信号処理部９１１に接続されたプリアンプ９１２、受信信号処理部９１３、受信信号処理部９１３に接続されたプリアンプ９１４等を有している。
【００１１】
この無線モジュールには、アンテナ９６０が接続されており、無線モジュールからの信号は、アンテナ９６０を介し送信され、また、アンテナ９６０において受信された信号は、アンテナ９６０を介し無線モジュールに入力する。
【００１２】
この無線モジュールを用いて信号を送信する際には、送受信部９１０の送信信号処理部９１１において信号を発生させ、送信信号処理部９１１において発生した信号をプリアンプ９１２において増幅し、送受信部９１０より出力する。送受信部９１０より出力された信号は、増幅回路９２０において更に増幅され、分配器９３０に入力される。分配器９３０に入力した信号は、検波回路９４０に入力する信号と送受信切替スイッチ９５０に入力する信号とに分配される。送受信切替スイッチ９５０においては、無線モジュールに設けられた不図示の制御部等による制御により、送信と受信とを切り替えることができる。具体的には、送受信切替スイッチ９５０において、信号を送信する際には、アンテナ９６０と分配器９３０とを接続し、信号を受信する際には、アンテナ９６０と送受信部９１０における受信信号処理部９１３に接続されているプリアンプ９１４とを接続するように、アンテナの接続先を切り替える。
【００１３】
信号を送信する際には、送受信切替スイッチ９５０においてアンテナ９６０と分配器９３０とが接続されるため、分配器９３０において分配され送受信切替スイッチ９５０に入力した信号は、アンテナ９６０より電波として送信される。また、分配器９３０において分配され検波回路９４０に入力した信号は、ＲＦ出力からＤＣ出力に変換された後、送信信号処理部９１１に入力される。このように、送信信号処理部９１１に入力されたＤＣ出力のパワーに基づき、送信信号が所望の出力となるように、プリアンプ９１２において、送信信号を増幅するフィードバックがかけられる。
【００１４】
ところで、アンテナ９６０に導体や人体が近づいた場合に、アンテナ９６０のインピーダンスが変化してしまう。図１の無線モジュールでは、信号を送信する際には、送受信切替スイッチ９５０においてアンテナ９６０と分配器９３０とが接続されているため、アンテナ９６０のインピーダンスが変化すると、検波回路９４０の特性が変化してしまう。このように、検波回路９４０の特性が変化してしまうと、フィードバックに影響を与え、送信される信号が、所望の出力には増幅されない場合がある。増幅器の増幅率が低すぎる場合には、信号の出力が低すぎ十分に信号を送信することができず、また、増幅率が高すぎる場合には、信号の出力が高くなり過入力が生じてしまう。
【００１５】
信号を受信する際には、送受信切替スイッチ９５０において、アンテナ９６０と送受信部９１０における受信信号処理部９１３に接続されているプリアンプ９１４と接続される。これにより、アンテナ９６０において受信された電波は、信号として送受信切替スイッチ９５０を介し、プリアンプ９１４に入力して増幅され、受信信号処理部９１３において受信信号として処理される。
【００１６】
〔第１の実施の形態〕
次に、本実施の形態における無線モジュールについて図２及び図３に基づき説明する。本実施の形態における無線モジュールにおいては、信号を送信する場合と、検波回路を用いてフィードバックを行う（以下「検波を行う」と称す）検波を行う場合とで分配器の接続先を切り替えるスイッチが設けられている。本実施の形態における無線モジュールは、送受信部１０、増幅回路２０、分配器３０、検波回路４０、第１のスイッチ５０、終端抵抗６０、第２のスイッチ７０等を有している。送受信部１０には、送信信号処理部１１、送信信号処理部１１に接続されたプリアンプ１２、受信信号処理部１３、受信信号処理部１３に接続されたプリアンプ１４、制御部１５等を有している。尚、本実施の形態においては、プリアンプ１２を増幅器と記載する場合がある。
【００１７】
第１のスイッチ５０としては、ダイオードを含む半導体スイッチやリレー等を用いることができ、送受信部１０における制御部１５による制御により、分配器３０と第２のスイッチ７０との接続と、分配器３０と終端抵抗６０との接続とを切り替えることができる。第２のスイッチ７０は、送受信切替スイッチであり、ＳＰＤＴ（Single Pole Double Throw：単極双投）スイッチが用いられており、例えば、送受信部１０における制御部１５による制御により、送信と受信とを切り替えることができる。具体的には、第２のスイッチ７０においては、信号を送信する際には、アンテナ８０と第１のスイッチ５０とを接続し、信号を受信する際には、アンテナ８０と送受信部１０における受信信号処理部１３に接続されたプリアンプ１４とを接続するように、アンテナの接続先を切り替えることができる。
【００１８】
本実施の形態における無線モジュールには、アンテナ８０が接続されており、無線モジュールからの信号は、アンテナ８０を介し送信され、また、アンテナ８０において受信された信号は、アンテナ８０を介して無線モジュールに入力する。
【００１９】
本実施の形態における無線モジュールにより信号を送信する場合には、図２に示されるように、第１のスイッチ５０において分配器３０と第２のスイッチ７０とを接続し、第２のスイッチ７０においてアンテナ８０と第１のスイッチ５０とを接続する。
【００２０】
この場合は、送受信部１０の送信信号処理部１１において信号を発生させ、送信信号処理部１１において発生した信号をプリアンプ１２において増幅し、送受信部１０より出力する。送受信部１０より出力された信号は、増幅回路２０に入力し、更に増幅された後、分配器３０に入力し、分配器３０において、検波回路４０に入力する信号と第１のスイッチ５０に入力する信号とに分配される。
【００２１】
前述したように、信号を送信する際には、第２のスイッチ７０においてアンテナ８０は分配器３０と接続されるため、分配器３０において分配された一方の送信信号は、第１のスイッチ５０及び第２のスイッチ７０を介し、アンテナ８０より電波として送信される。
【００２２】
尚、分配器３０において分配された他方の送信信号は、検波回路４０においてＲＦ出力からＤＣ出力に変換された後、送信信号処理部１１に入力される。しかしながら、信号を送信する際には、送信信号処理部１１において、検波回路４０からの信号を受け付けない制御がなされているため、送信信号にフィードバックがかけられることはない。
【００２３】
本実施の形態における無線モジュールにおいて検波する場合には、図３に示されるように、第１のスイッチ５０において分配器３０と終端抵抗６０とを接続する。終端抵抗６０は、例えば、接地されている５０Ωの終端抵抗である。
【００２４】
無線モジュールでの検波時には、送受信部１０の送信信号処理部１１において信号を発生させ、送信信号処理部１１において発生した信号をプリアンプ１２において増幅し、送受信部１０より出力する。送受信部１０より出力された信号は、増幅回路２０に入力し、更に増幅された後、分配器３０に入力し、分配器３０において、検波回路４０に入力する信号と第１のスイッチ５０に入力する信号とに分配される。
【００２５】
本実施の形態においては、第１のスイッチ５０において分配器３０は終端抵抗６０と接続されているため、第１のスイッチ５０に入力した信号はアンテナ８０に送信されることがなく、終端抵抗６０に入力する。よって、インピーダンスを一定にすることができる。
【００２６】
分配器３０において分配され検波回路４０に入力した信号は、検波回路４０においてＲＦ出力からＤＣ出力に変換された後、送信信号処理部１１に入力される。検波の場合は、送信信号処理部１１では、検波回路４０からの信号を受け付ける制御がなされている。よって、送信信号処理部１１に入力されたＤＣ出力のパワーに基づき、送信信号が所望の出力となるようにプリアンプ１２での増幅を制御することにより、送信信号にフィードバックをかけることができる。
【００２７】
尚、信号を受信する際には、第２のスイッチ７０においてアンテナ８０と送受信部１０における受信信号処理部１３に接続されているプリアンプ１４とが接続される。これにより、アンテナ８０において受信した信号は、第２のスイッチ７０を介してプリアンプ１４に入力し増幅され、受信信号処理部１３において受信信号として処理される。
【００２８】
本実施の形態においては、図３に示される検波は、無線モジュールの電源投入時に行ってもよく、また、周期的に行ってもよい。周期的に行う場合には、例えば、１分〜１０分程度の周期で行う。また、送信信号に送信に寄与しないダミー信号を周期的に含ませ、送信信号がダミー信号となるタイミングに対応して、検波の動作を行ってもよい。即ち、信号を送信する際には、送信と検波とを切替ながら、信号を送信してもよい。
【００２９】
本実施の形態においては、検波の際には、図３に示すように、第１のスイッチ５０において、送信信号の出力が終端抵抗６０に向かうように切り替えることにより、アンテナ８０のインピーダンス変動の影響を受けることなく、理想の状態で送信信号のフィードバックをかけることができる。即ち、検波の際には、第１のスイッチ５０において分配器３０とアンテナ８０との接続は切断され、分配器３０は終端抵抗６０と接続される。従って、アンテナ８０の周辺に導体等が近づき、外的要因によりアンテナ８０のインピーダンスが変化した場合においても、検波回路４０等の特性が変動することはなく、所望の出力となるように送信信号にフィードバックをかけることができる。
【００３０】
〔第２の実施の形態〕
次に、第２の実施の形態における無線モジュールについて図４及び図５に基づき説明する。本実施の形態における無線モジュールにおいては、第１の実施の形態と同様に、信号を送信する場合と、検波を行う場合とを切り替えるスイッチが設けられている。本実施の形態における無線モジュールは、送受信部１０、増幅回路２０、分配器３０、検波回路４０、第１のスイッチ５０、終端抵抗６０、第２のスイッチ７０等を有している。送受信部１０には、送信信号処理部１１、送信信号処理部１１に接続されたプリアンプ１２、受信信号処理部１３、受信信号処理部１３に接続されたプリアンプ１４、制御部１５等を有している。尚、本実施の形態においては、プリアンプ１２を増幅器と記載する場合がある。
【００３１】
本実施の形態においては、第１のスイッチ５０は、送受信部１０における制御部１５による制御により、増幅回路２０の接続先を、第２のスイッチ７０と分配器３０とに切り替えることができる。第２のスイッチ７０は送受信切替スイッチであり、ＳＰＤＴスイッチが用いられており、例えば、送受信部１０における制御部１５による制御により、送信と受信とを切り替えることができる。具体的には、第２のスイッチ７０において、信号を送信する際には、アンテナ８０と第１のスイッチ５０とを接続し、信号を受信する際には、アンテナ８０と送受信部１０における受信信号処理部１３に接続されたプリアンプ１４とを接続するように、切り替えることができる。
【００３２】
本実施の形態における無線モジュールには、アンテナ８０が接続されており、無線モジュールからの信号は、アンテナ８０を介し送信され、また、アンテナ８０において受信された信号は、アンテナ８０を介して無線モジュールに入力する。
【００３３】
本実施の形態における無線モジュールにおいて信号を送信する場合には、図４に示されるように、第１のスイッチ５０において増幅回路２０と第２のスイッチ７０とを接続し、第２のスイッチ７０においてアンテナ８０と第１のスイッチ５０とを接続する。
【００３４】
この場合には、送受信部１０の送信信号処理部１１において信号を発生させ、送信信号処理部１１において発生した信号をプリアンプ１２において増幅し、送受信部１０より出力する。送受信部１０より出力された信号は、増幅回路２０に入力し、更に増幅された後、第１のスイッチ５０及び第２のスイッチ７０を介し、アンテナ８０より電波として送信される。
【００３５】
本実施の形態における無線モジュールにおいて検波する場合には、図５に示されるように、第１のスイッチ５０において増幅回路２０と分配器３０とを接続する。分配器３０には、検波回路４０と終端抵抗６０が接続されている。終端抵抗６０は、例えば、接地されている５０Ωの終端抵抗である。
【００３６】
この場合には、送受信部１０の送信信号処理部１１において信号を発生させ、送信信号処理部１１において発生した信号をプリアンプ１２において増幅し、送受信部１０より出力する。送受信部１０より出力された信号は、増幅回路２０に入力し、増幅回路２０において更に増幅された後、第１のスイッチ５０を介し分配器３０に入力する。分配器３０に入力した信号は、分配器３０において、検波回路４０に入力する信号と終端抵抗６０に入力する信号とに分配される。
【００３７】
本実施の形態においては、第１のスイッチ５０において増幅回路２０と分配器３０とが接続されているため、増幅回路２０から出力された送信信号は、分配器３０において検波回路４０に入力する信号と終端抵抗６０に入力する信号とに分配される。分配器３０において分配された一方の送信信号は、アンテナ８０に送信されることなく、終端抵抗６０に入力するため、終端のインピーダンスを一定にすることができる。
【００３８】
分配器３０において分配された他方の送信信号は、検波回路４０においてＲＦ出力からＤＣ出力に変換された後、送信信号処理部１１に入力される。送信信号処理部１１に入力されたＤＣ出力のパワーに基づき、送信信号が所望の出力となるように、プリアンプ１２の増幅率を制御して出力信号を増幅することにより、送信信号にフィードバックをかけることができる。
【００３９】
尚、本実施の形態においては、送信信号の出力の調整だけでなく、送信信号をキャリブレーションする場合にも用いることができる。通常の無線モジュールのキャリブレーションにおいては、アンテナ８０から送信された電波を受信する別のアンテナを設置し、別のアンテナにおいて受信された信号に基づき行われる。しかしながら、この方法では、信号を送信するアンテナ８０と受信する別のアンテナとの距離や周囲の環境によりインピーダンスが不安定となり、安定したキャリブレーションを行うことができない。
【００４０】
しかしながら、本実施の形態における無線モジュールにおいては、検波の状態、即ち、第１のスイッチ５０において増幅回路２０と分配器３０とを接続した状態でキャリブレーションを行うことにより、安定したキャリブレーションを行うことができる。具体的には、第１のスイッチ５０において増幅回路２０と分配器３０とを接続した状態では、信号は、アンテナ８０に入力することなく、分配器３０を介し終端抵抗６０に入力する。これにより、インピーダンスは安定し、安定したキャリブレーションを行うことができる。また、パワーメータ等の外部計測器を使用する必要がないため、容易に送受信精度の高いキャリブレーションを行うことができる。
【００４１】
尚、上記以外の内容については、第１の実施の形態と同様である。
【００４２】
〔第３の実施の形態〕
次に、第３の実施の形態における無線モジュールについて図６及び図７に基づき説明する。本実施の形態における無線モジュールは、一つの切替スイッチにより、第１の実施の形態と同様の機能を有するものである。本実施の形態における無線モジュールは、送受信部１０、増幅回路２０、分配器３０、検波回路４０、終端抵抗６０、スイッチ１７０等を有している。送受信部１０には、送信信号処理部１１、送信信号処理部１１に接続されたプリアンプ１２、受信信号処理部１３、受信信号処理部１３に接続されたプリアンプ１４、制御部１５等を有している。尚、本実施の形態においては、プリアンプ１２を増幅器と記載する場合がある。
【００４３】
本実施の形態においては、スイッチ１７０は送受信切替スイッチであり、ＤＰＤＴ（Double Pole Double Throw：双極双投）スイッチが用いられており、送受信部１０における制御部１５による制御により、送信と受信とを切り替えることができる。具体的には、信号を送信する際には、分配器３０とアンテナ８０とを接続し、プリアンプ１４と終端抵抗６０とを接続する。また、信号を受信する際には、プリアンプ１４とアンテナ８０とを接続し、分配器３０と終端抵抗６０とを接続する。このように切り替えることにより、送信と受信とを切り替えることができる。
【００４４】
本実施の形態における無線モジュールには、アンテナ８０が接続されており、無線モジュールからの信号は、アンテナ８０を介し送信され、また、アンテナ８０において受信された信号は、アンテナ８０を介し無線モジュールに入力する。
【００４５】
本実施の形態における無線モジュールから信号を送信する場合には、図６に示されるように、スイッチ１７０において分配器３０とアンテナ８０とを接続し、受信信号処理部１３と終端抵抗６０とを接続する。
【００４６】
この場合、送受信部１０の送信信号処理部１１において信号を発生させ、送信信号処理部１１において発生した信号をプリアンプ１２において増幅し、送受信部１０より出力する。送受信部１０より出力された信号は、増幅回路２０に入力して更に増幅された後、分配器３０に入力し、分配器３０において、検波回路４０に入力する信号とスイッチ１７０に入力する信号とに分配される。
【００４７】
前述したように、信号を送信する際には、スイッチ１７０においてアンテナ８０は分配器３０と接続されるため、分配器３０において分配された一方の送信信号は、スイッチ１７０を介しアンテナ８０より電波として送信される。
【００４８】
尚、分配器３０において分配された他方の送信信号は、検波回路４０においてＲＦ出力からＤＣ出力に変換された後、送信信号処理部１１に入力される。しかしながら、信号を送信する際には、送信信号処理部１１において、検波回路４０からの信号を受け付けない制御がなされているため、送信信号にフィードバックがかけられることはない。
【００４９】
本実施の形態における無線モジュールにおいて検波する場合には、図７に示されるように、スイッチ１７０において分配器３０と終端抵抗６０とを接続し、受信信号処理部１３とアンテナ８０とを接続する。尚、本実施の形態においては、この状態において信号を受信することも可能である。また、終端抵抗６０は、例えば、接地されている５０Ωの終端抵抗である。
【００５０】
この場合、送受信部１０の送信信号処理部１１において信号を発生させ、送信信号処理部１１において発生した信号をプリアンプ１２において増幅し、送受信部１０より出力する。送受信部１０より出力された信号は、増幅回路２０に入力し、更に増幅された後、分配器３０に入力し、分配器３０において、検波回路４０に入力する信号とスイッチ１７０に入力する信号とに分配される。
【００５１】
本実施の形態においては、スイッチ１７０において分配器３０と終端抵抗６０とが接続されているため、スイッチ１７０に入力した信号は、終端抵抗６０に入力する。よって、インピーダンスを一定にすることができる。
【００５２】
分配器３０において分配され検波回路４０に入力した信号は、ＲＦ出力からＤＣ出力に変換された後、送信信号処理部１１に入力される。検波の場合においては、送信信号処理部１１では、検波回路４０からの信号を受け付ける制御がなされている。従って、送信信号処理部１１に入力されたＤＣ出力に基づき、送信信号が所望の出力となるようにプリアンプ１２の増幅率を制御することにより、送信信号にフィードバックをかけることができる。
【００５３】
尚、外部から信号を受信する際には、図７に示されるように、スイッチ１７０においてアンテナ８０が送受信部１０における受信信号処理部１３に接続されたプリアンプ１４と接続される。これにより、アンテナ８０において受信した信号は、スイッチ１７０を介し、プリアンプ１４に入力し増幅され、受信信号処理部１３において受信信号として処理される。
【００５４】
本実施の形態においては、検波の際には、図７に示すように、送信信号の出力をスイッチ１７０において、終端抵抗６０に切り替えることにより、アンテナ８０のインピーダンス変動の影響を受けることなく、理想の状態でフィードバックをかけることができる。即ち、検波の際には、スイッチ１７０において、分配器３０とアンテナ８０との接続は切断され、分配器３０は終端抵抗６０と接続される。従って、アンテナ８０の周辺に導体等が近づき、外的要因によりアンテナ８０のインピーダンスが変化した場合においても、検波回路４０の特性が変動することはなく、所望の出力となるように、送信信号にフィードバックをかけることができる。尚、図７に示す状態において、信号の受信を行うこともできる。
【００５５】
尚、上記以外の内容については、第１の実施の形態と同様である。
【００５６】
以上、本発明の実施に係る形態について説明したが、上記内容は、発明の内容を限定するものではない。
【符号の説明】
【００５７】
１０        送受信部
１１        送信信号処理部
１２        プリアンプ
１３        受信信号処理部
１４        プリアンプ
１５        制御部
２０        増幅回路
３０        分配器
４０        検波回路
５０        第１のスイッチ
６０        終端抵抗
７０        第２のスイッチ
８０        アンテナ
【図１】
2015231113.tif 000003
【図２】
2015231113.tif 000004
【図３】
2015231113.tif 000005
【図４】
2015231113.tif 000006
【図５】
2015231113.tif 000007
【図６】
2015231113.tif 000008
【図７】
2015231113.tif 000009